(57)【要約】【課題】飲料用びん等の外面にシリコーンコーティング処理するコーティング装置のチェンコンベア等のコンベアに付着、或いは堆積したシリコーンコーティング剤を剥離、除去するための定期的な自動洗浄が行えるような方法と装置を提供すること。【解決手段】外面にシリコーンコーティング処理したびんを搬送するコンベアに付着したコーティング膜を、同コンベアのリターン部において飽和スチームを同コンベアの表側及び／又は裏側に噴射して除去するようにしたコンベア洗浄方法及び装置。【選択図】    図１
2004351314.tif 000002
【特許請求の範囲】
【請求項１】
外面にシリコーンコーティング処理したびんを搬送するコンベアに付着したコーティング膜を、同コンベアのリターン部において飽和スチームを同コンベアの表側及び／又は裏側に噴射して除去するようにしたことを特徴とするコンベア洗浄方法。
【請求項２】
請求項１に記載するコンベア洗浄方法において、前記コンベアを温度調整した水中を潜らせることによりスチームを噴射する周辺の温度を９０〜１００℃に調整するようにしたことを特徴とするコンベア洗浄方法。
【請求項３】
請求項１及び２に記載するコンベア洗浄方法は、コンベアの送行速度を可変とすることにより、コーティング装置を稼働中、及び休止中に行えるようにしたことを特徴とするコンベア洗浄方法。
【請求項４】
びんの外面にシリコーンコーティング処理するコーティング装置において、コンベア駆動にコンベア速度を変えることが可能な可変速モータを使用し、コンベアのリターン部の上側及び／又は下側に走行方向に並べて設けられた複数のスチーム噴射ノズルとスチームの圧力が調整可能なスチーム供給源とを設置し、請求項１〜３に記載するコンベア洗浄方法によりコーティング膜を除去することを特徴とするコンベア洗浄装置。
【請求項５】
請求項４に記載するコンベア洗浄装置において、前記コンベアのリターン部に設けられたコンベア洗浄装置の複数のスチーム噴射ノズルを上方から囲い、下側開放の洗浄部カバーと熱交換器を備えて水温調整が可能な水タンクとを設置し、洗浄部カバーの裾が前記水タンクの水面以下となるように水面を設定し、コンベアのリターン部が２度水中を潜って前記コンベア洗浄ノズルカバーの裾と干渉することを避ける構成とし、水封した洗浄部カバー内において、請求項１〜３に記載するコンベア洗浄方法によりコーティング膜を除去することを特徴とするコンベア洗浄装置。
【請求項６】
請求項４及び５に記載するコンベア洗浄装置において、コンベア洗浄装置の水温調整用熱交換器の配管に、フィルタを設置して剥がれたコーティング剤の屑等を取り除くようにしたことを特徴とするコンベア洗浄装置。
【発明の詳細な説明】
【０００１】
【発明の属する技術分野】
本発明は、飲料用びん等の外面にシリコーンコーティング処理するコーティング装置のチェンコンベア等のコンベアに付着、或いは堆積したコーティング剤を除去する洗浄方法及び装置に関する。
【０００２】
【従来の技術】
ビール清涼飲料等のびん詰プラントでは、繰り返し使用されているびんにビール等を充填し、びんの側面にラベルを貼りつけた後、ラベルの保護と、びん同士が触れ合って生じるびん外面のスカッフィング防止のために、シリコーンコーティングを行っている。シリコーンコーティング処理装置のびんコンベアには次第にコーティング剤が付着、堆積し、コンベアの回動が滑らかさを欠いてくるので、定期的に多くの人手を使い、洗剤とブラシを用いた人手作業でコンベアに付着、堆積したコーティング剤の固体堆積物を除去しているのが現状である。
【０００３】
コーティング剤としては例えばポリアルキルフェニルシロキサンを主成分としたシリコーンで、これを速乾性溶剤に溶かし、周囲を囲ったコーティング装置において、びんを間隔を空けてコンベアで連続送りしながら、ノズルから霧状に噴出してびんに薄く塗布するように構成してあり、当然コンベアにもコーティング剤が付着し、コンベアはエンドレスであるためコーティング剤の固形物が堆積することになる。
【０００４】
特開２００１−１２１０９２号に開示された給送チエンの洗浄装置は、たばこの葉を圧縮して裁断する裁刻機の給送チエンの洗浄用に供されるもので、裁刻機とは別の場所に設置された洗浄装置において、ローラコンベア上で給送チエンを往復させながら、水蒸気噴射ノズルから高温の水蒸気を噴射して、たばこの葉液が固まった固形物の除去を行うもので、水蒸気は温度が１４０℃以上の飽和蒸気を４気圧以上で噴射するようにしている。
【０００５】
また、特開２００１−２１２４９８号に開示された塗膜剥離法は、室内の壁面、床面、設置された機械装置等の汚れを洗浄したり、塗膜を剥離する方法に関するもので、吐出圧力５０ｋｇｆ／ｃｍ２〜２００ｋｇｆ／ｃｍ２、水量１．５〜９．０リットル／分、温度１０５〜１７５℃の加圧温水を吹き付けて被対象物の表面の洗浄、塗膜剥離を行う方法である。
【０００６】
【特許文献１】
特開２００１−１２１０９２号公報
【特許文献２】
特開２００１−２１２４９８号公報
【０００７】
【発明が解決しようとする課題】
上記のように、年に数回とはいえ、コーティング装置のコンベアに固着堆積したコーティング剤を除去する作業には相当多くの人手労力を要しているので、コーティング剤の除去を容易にするコンベア洗浄方法と装置が要望されている。
従来例の、特開２００１−１２１０９２号に開示された給送チエンの洗浄装置は、チエンを往復移動しながら、たばこの葉液が固まったものを水蒸気噴射ノズルから高温の水蒸気を噴射して除去を行うもので、水蒸気の温度、圧力が過大で設備、運転コストとも高価であり、また、裁刻機と別置きであるので、給送チエン移動に手間がかかる。
【０００８】
また、特開２００１−２１２４９８号に開示された塗膜剥離法は、作業員が移動しながら、手持ちの噴射ノズルを操作して、熱水の温度と圧力と速度の慣性重量により、室内の壁や機械装置等の汚れの洗浄、塗膜を剥離する方法であり、コーティング剤の除去装置に適用するには、水圧、水量、温度とも過大であり、設備が大型となって製造コストも運転コストも嵩む。
本発明は、コーティング装置のコンベアに固着、或いは堆積したシリコーンコーティング剤を剥離、除去するための定期的な自動洗浄が行えるような方法と装置を提供することを目的とする。
【０００９】
【課題を解決するための手段】
上記の課題に対し本発明は、以下の各項の特徴を有する手段を以て課題解決を図る。
（１）外面にシリコーンコーティング処理したびんを搬送するコンベアに付着したコーティング膜を、同コンベアのリターン部において飽和スチームを同コンベアの表側及び／又は裏側に噴射して除去するようにしたコンベア洗浄方法。
（２）上記（１）のコンベア洗浄方法において、前記コンベアを温度調整した水中を潜らせることによりスチームを噴射する周辺の温度を９０〜１００℃に調整するようにしたコンベア洗浄方法。
【００１０】
（３）上記（１）及び（２）のコンベア洗浄方法において、コンベアの送行速度を可変とすることにより、コーティング装置を稼働中、及び休止中に行えるようにしたコンベア洗浄方法。
（４）びんの外面にシリコーンコーティング処理するコーティング装置において、コンベア駆動にコンベア速度を変えることが可能な可変速モータを使用し、コンベアのリターン部の上側及び／又は下側に走行方向に並べて設けられた複数のスチーム噴射ノズルとスチームの圧力が調整可能なスチーム供給源とを設置し、請求項１〜３に記載するコンベア洗浄方法によりコーティング膜を除去するコンベア洗浄装置。
【００１１】
（５）上記（４）のコンベア洗浄装置において、前記コンベアのリターン部に設けられたコンベア洗浄装置の複数のスチーム噴射ノズルを上方から囲い、下側開放の洗浄部カバーと熱交換器を備えて水温調整が可能な水タンクとを設置し、洗浄部カバーの裾が前記水タンクの水面以下となるように水面を設定し、コンベアのリターン部が２度水中を潜って前記コンベア洗浄ノズルカバーの裾と干渉することを避ける構成とし、水封した洗浄部カバー内において、請求項１〜３に記載するコンベア洗浄方法によりコーティング膜を除去するコンベア洗浄装置。
（６）上記（４）及び（５）のコンベア洗浄装置において、コンベア洗浄装置の水温調整用熱交換器の配管に、フィルタを設置して剥がれたコーティング剤の屑等を取り除くようにしたコンベア洗浄装置。
【００１２】
【発明の実施の形態】
本発明の実施の形態につき、まず、コーティング装置の構成を図に基づいて説明し、続いてシリコーンコーティング剤の付着、或いは堆積物の剥離除去洗浄方法を説明する。図１はコンベア洗浄装置を具備したコーティング装置の側面断面模式図、図２は図１のＡ−Ａ断面図である。
【００１３】
図において、びん５の外面にシリコーンコーティング処理するシリコーンコーティング装置２は、びん５を搬入搬出するびんコンベア４と、びん５の外面にシリコーン溶剤を吹き付ける複数のコーティングノズル６及びコーティングノズル６への供給配管７、開閉弁８、配管２５、カバー９よりなるシリコーン塗布部と、同コンベア４のリターン部の上下両側に走行方向に並べて設けられた複数の上側スチーム噴射ノズル１８と下側スチーム噴射ノズル１９、スチームの圧力が調整可能なスチーム供給源とよりなるコンベア洗浄装置３と、温度調整可能な水タンク１７と、同コンベア４のリターン部に設けられた複数のスチーム噴射ノズル１８、１９を上方から囲う下側開放の洗浄部カバー２３と、水タンク１７の温度調整用の熱交換器２７とにより構成される。
【００１４】
びんコンベア４は、図示せぬ可変速モータ（サーボモータ、又は、インバータで回転速度制御される交流モータ等）により駆動されるびんコンベア駆動プーリー１２とアイドルプーリーＡ１３、アイドルプーリーＢ１４、１４、アイドルプーリーＣ１５、１５、アイドルプーリーＤ１６、１６によりエンドレスに周回駆動される。図に示すように、水タンク１７に水が供給されると排水管２４の上方開口部において水レベルが決められる。アイドルプーリーＣ１５、１５は水中に潜り、同コンベア４のリターン部はアイドルプーリーＢ１４に案内されて水タンク１７の水中に入り、アイドルプーリーＣ１５で上方に方向変換して、洗浄部カバー２３の裾２３ａ、２３ｂとの干渉を避けながら水中から外へ出され、アイドルプーリーＤ１６、１６で水平に案内される。
【００１５】
アイドルプーリーＤ１６を過ぎて戻る同コンベア４は、入り側と逆順に、アイドルプーリーＣ１５、アイドルプーリーＢ１４を経て、同コンベア４を水平に戻すアイドルプーリーＡ１３に巻かけられる。アイドルプーリーＤ１６、１６の間で上側スチーム噴射ノズル１８と下側スチーム噴射ノズル１９から噴出されたスチームにより同コンベア４に付着、或いは固着するコーティング剤の剥離除去、洗浄が行われる。排水管２４の開口部の高さを調整することにより、洗浄部カバー２３の裾２３ａ、２３ｂ、２３ｃが前記水タンク１７の水面以下となるように水面を設定して洗浄部カバー２３の室内を水封している。
スチーム供給源は４ｋｇ／ｃｍ２Ｇの飽和スチームとし、噴出圧力は調整可能である。２２は開閉弁である。
【００１６】
水タンク１７の水はフィルタ３１、ポンプ２９を経て熱交換器２７で温度調整され、操作弁２８を経て水タンク１７へ戻る。びんコンベア４は水タンク１７の水の温度に調整されるので、水の温度は洗浄に最適な温度に調整される。フィルタ３１は同コンベア４から剥離されたコーティング剤の屑等の異物を除去する。
【００１７】
コンベア洗浄装置を具備したシリコーンコーティング装置２の作用について説明する。
ビールのびん詰プラント等では、繰り返し使用されるびんにビールを充填し、びんの側面にラベルを貼りつけた後、ラベルの保護と、びん同士が触れ合って生じるびん外面のスカッフィング防止のため、同コーティング装置２を設置し、同装置２のびんコンベア４でびん５を１列に間隔を開けて送りながら、周囲を囲って両側に設置されているコーティングノズル６から、噴霧状のシリコーン溶液を吹き出し、びん５の外面表面前面にかけて薄く塗布するようにしている。コーティング剤としては例えばポリアルキルフェニルシロキサンを主成分としたシリコーンで、これを速乾性溶液に溶かしてあるので、塗布後急速に乾燥する。エンドレスに回動する同コンベア４にも当然コーティング剤が付着し、次第に堆積し、同コンベア４の回動が滑らかさを欠いてくるので、同コンベア４に付着、堆積したコーティング剤の堆積物を定期的に除去する必要がある。
【実施例】
【００１８】
シリコーンコーティング装置２のびんコンベア４は一般的にステンレス（ＳＵＳ３０４等）材で作られているので、ステンレス板の試験片にポリアルキルシロキサンを主成分とするシリコーン剤をコーティングをし、乾燥後、種々な方法で、コーティング剤の剥離除去の試験をした結果について以下に比較説明する。
【００１９】
［試験内容］  ＳＵＳ３０４の板にシリコーンコーティング溶液をスプレーで塗布し、常温で乾燥後、以下の各洗浄手段によりコーティング膜を除去し、除去されたか否かを撥水性の有無により評価する。
［試験条件］  コーティング剤を２０℃で乾燥後、１分、１０分、２０時間経過後における以下の洗浄除去剤▲１▼〜▲４▼の各除去条件での試験を実施した。
洗浄除去剤▲１▼…３％苛性ソーダ水溶液（２０℃、５０℃、浸漬）
洗浄除去剤▲２▼…スチーム（約９０℃、４ｋｇ／ｃｍ２Ｇ、ノズル噴射、噴射距離１０ｍｍ）、スチームの温度は噴射距離により変わるが大体９０〜１００℃が適切。
洗浄除去剤▲３▼…熱水（１００℃、浸漬）
洗浄除去剤▲４▼…アルカリ性洗浄剤（メタ珪酸ソーダ系、１０倍希釈、２０℃、浸漬）
［成績］
【表１】
2004351314.tif 000003
【００２０】
上記の洗浄除去剤の除去能力比較試験の成績を踏まえ、本実施の形態は、▲２▼スチーム（約９０℃）を採用し、コンベア４に付着（堆積）したコーティング膜剤を、びんコンベア４のリターン部において飽和スチームを直接コンベアの表裏に噴射して除去するようにしたコンベア洗浄方法となっている。
また、びんコンベア４を上述のように、温度調整した水中を潜らせることによりスチームを噴射する周辺の温度を９０〜１００℃に調整して、噴射するスチームの温度を維持するようにしている。
【００２１】
また、びんコンベア４は可変速モータで駆動することにより、送行速度を変えることができるので、コーティング作業休止中に同コンベア４を緩速で移動させ、十分に時間をかけて洗浄を行うことができる。同コンベア４の洗浄はコーティング作業を稼働中でも行える。
以上はびんコンベア４の表裏に対してスチームを噴射する場合について説明したが、上側スチーム噴射ノズル１８だけ、又は下側スチーム噴射ノズル１９だけを作動させて同コンベア４の片側だけを洗浄してもよい。また、表側だけ、又は裏側だけにスチーム噴射ノズルを設けて本洗浄方法を適用できることはもちろんである。
【００２２】
【発明の効果】
本発明のコーティング装置のコンベアに固着堆積したコーティング剤をコンベアにスチームを吹付けて除去する方法は、他の洗浄方法との比較試験で実証されたように、付着物の除去効果が十分であり、手頃な圧力のスチームの吹き付けによるもので、安価で取り扱いが簡単であり、殆ど人手労力を要しないでコンベアの洗浄処理を行うことができる。なお、コーティング剤の付着が少量であるときに短時間の除去作業で対応できるため、コーティング作業と並行してコンベアの洗浄作業ができる。
コーティング装置におけるコンベア洗浄装置は、大気圧と等圧に水封した室内でスチームの吹き付けを行うので、水封用の水の温度調整をすることにより雰囲気温度を容易に制御することができる。また、水の温度調整用の熱交換器の配管にフィルタを設けて、コーティング剤等の堆積剥離物の除去排出処理、水の回収処理が容易にできる。また、コンベアを駆動するモータは可変速であるので、スチームの吹き付け時間を容易に調整することができる。
【図面の簡単な説明】
【図１】本発明の実施の形態に係るコンベア洗浄装置を具備したコーティング装置の側面断面模式図である。
【図２】図１のＡ−Ａ断面図である。
【符号の説明】
２    シリコーンコーティング装置
３    コンベア洗浄装置
４    びんコンベア
５    びん
６    コーティングノズル
１２    びんコンベア駆動プーリー
１７    水タンク
１８    上側スチーム噴射ノズル
１９    下側スチーム噴射ノズル
２３    洗浄部カバー
２７    熱交換器
３１    フィルタ
【図１】
2004351314.tif 000004
【図２】
2004351314.tif 000005